(57)【要約】      （修正有）【課題】簡易型脚部ストレッチ運動装置を提供する。【解決手段】脚部ストレッチ運動装置０５は、台座１０と、少なくとも１つの係合部３０と、２つのガイドフレーム部４０とを含む。台座１０は、ベースフレーム１１と、ベースフレーム１１の上にある座り部１２とを備える。該ベースフレームの前段には、第一積載部１３が設けられ、後段には、第二積載部１４が設けられる。該ベースフレームの周囲から第一積載部１３の外側まで形成された活動可能空間２０があり、係合部３０は、該ベースフレームの後段のプリセット位置に設けられ、ガイドフレーム部４０は、長く伸びた延長フレーム体である。２つのガイドフレーム部４０の後段はそれぞれ、該係合部に結合され、前段はそれぞれ係合部３０を軸として、活動可能空間２０でスイングすることができる。したがって、２つのガイドフレーム部４０が互いに離れている展開状態になるか、或いは互いに近付いている閉鎖状態になることができる。【選択図】図１
0003190024.tif 000002
【実用新案登録請求の範囲】
【請求項１】
台座（１０）と、少なくとも１つの係合部（３０）と、２つのガイドフレーム部（４０）とを含む簡易型脚部ストレッチ運動装置において、
前記台座（１０）は、ベースフレーム（１１）と、ベースフレーム（１１）の上に設けられる座部（１２）とを備え、該ベースフレーム（１１）の前段には、第一積載部（１３）が設けられ、後段には、第二積載部（１４）が設けられ、該第一積載部（１３）のプリセット位置には、少なくともの１つストッパー（１５）が設けられており、
該ベースフレーム（１１）の周囲から第一積載部（１３）の外側まで形成される活動可能空間（２０）があり、それにより、該台座（１０）が側面に開放する構造に設けられており、
前記少なくとも１つの係合部（３０）は、該ベースフレーム（１１）の後段のプリセット位置に設けられ、使用者が該座部（１２）に座っているとき、該係合部（３０）が使用者のお尻の下方に接近するとともに、後側の位置に当接され、
前記２つのガイドフレーム部（４０）は、長く伸びた延長フレーム体であり、該２つのガイドフレーム部（４０）の後段はそれぞれ、該係合部（３０）に結合され、ガイドフレーム部（４０）はそれぞれ、第一積載部（１３）の両側に位置するように設けられており、各ガイドフレーム部（４０）の前段に、使用者の足を載せる足載せ台（４１）と、地面と接触するガイドローラー（４２）とが設けられていることによって、２つのガイドフレーム部（４０）の前段がそれぞれ係合部（３０）を軸として、活動可能空間（２０）でスイングし、かつ２つのガイドフレーム部（４０）が互いに離れている展開状態になるか、或いは互いに近付いている閉鎖状態になることができ、
２つのガイドフレーム部（４０）が閉鎖状態になるとき、両者がそれぞれ第一積載部（１３）に設けられるストッパー（１５）に当接されるので、２つのガイドフレーム部（４０）の間に間隔が形成され、かつ２つのガイドフレーム部（４０）が互いに離れるように活動可能空間（２０）でスイングさせるとき、両者の間に形成される角度が、少なくとも６０度を超え、
該台座（１０）に設けられる係合部（３０）と、活動可能空間（２０）とにより、２つのガイドフレーム部（４０）が係合部（３０）を軸として、活動可能空間（２０）でスイングすることにより、部品点数を減少させ、構造を簡単にすることを特徴とする簡易型脚部ストレッチ運動装置。
【請求項２】
各ガイドフレーム部（４０）のプリセット位置には更に、把持補助部（５０）が設けられており、使用者が足を該足載せ台（４１）に乗せて、脚部の開合ストレッチ運動を行うとき、該把持補助部（５０）を握って引くことにより、該ガイドフレーム部（４０）の移動を補助することを特徴とする請求項１に記載の簡易型脚部ストレッチ運動装置。
【請求項３】
該ガイドフレーム部（４０）が互いに離れるように活動可能空間（２０）でスイングさせるとき、両者の間に形成される角度が７０度〜１８０度になることを特徴とする請求項２に記載の簡易型脚部ストレッチ運動装置。
【請求項４】
該係合部（３０）の前側にある該ガイドフレーム部（４０）のプリセット位置には更に、２つのガイドフレーム部（４０）を連結させるフレキシブル抵抗ユニット（６０）が設けられており、２つのガイドフレーム部（４０）が互いに離れるようにスイングさせるとき、該フレキシブル抵抗ユニット（６０）により２つのガイドフレーム部（４０）の間に弾性抵抗力が発生することを特徴とする請求項１、２又は３に記載の簡易型脚部ストレッチ運動装置。
【請求項５】
該係合部（３０）の後側にある該ガイドフレーム部（４０）のプリセット位置には更に、２つのガイドフレーム部（４０）を連結させるフレキシブル抵抗ユニット（６０ｂ）が設けられており、２つのガイドフレーム部（４０）の後段がフレキシブル抵抗ユニット（６０ｂ）によって近付くように引っ張られているので、２つのガイドフレーム部（４０）の前段は常時、互いに離れている展開状態になり、２つのガイドフレーム部（４０）が互いに近付づくようにスイングさせるとき、該フレキシブル抵抗ユニット（６０ｂ）により、２つのガイドフレーム部（４０）の間に弾性抵抗力が発生することを特徴とする請求項１、２又は３に記載の簡易型脚部ストレッチ運動装置。
【考案の詳細な説明】
【技術分野】
【０００１】
本考案は、ストレッチ運動装置に関わり、特に、構造を簡単化した簡易型脚部ストレッチ運動装置構造に関する。
【背景技術】
【０００２】
現代人のライフスタイルの変化に伴い、エクササイズ好きであるが、定期的にアウトドアスポーツができない人たちは通常、エクササイズグッズを利用して、屋内スポーツを行うことにより、アウトドアスポーツと同じ効果を得る。そのため、当該業界では、その使用ニーズに応じて、使用者が選んで使用できる、各種の屋内用スポーツグッズを開発した。例えば、エアロバイク、ランニングマシン、ボート漕ぎマシン、またはストレッチマシン（俗称開脚ストレッチマシン）などであるが、それらはいずれもよく見られるものである。本考案で検討したいことは、従来のストレッチマシンの構造を改良することにある。
【０００３】
従来の一般的なストレッチマシンを使うとき、まずは、使用者がストレッチマシンの上に座って、脚をまっすぐ伸ばした後、２つの足をそれぞれストレッチマシンに設けられる２つのバー上にのせる。つぎは、２つのバーを対称にスイングさせることにより、使用者が脚部のストレッチ運動を行うことができる。ただし、従来のストレッチマシンで、バーを対称にスイングさせるため、通常、２つのバーを相互に連結させる連動バー構造を設けなければならない。連動バーが２つのバーの間の連結されることによって、バーが対称にスイングすることを実現することができる。しかし、従来のストレッチマシンには、部品の個数が多すぎて、構造複雑で、製造や組立が困難で、かつコストが高く、量産に不利である問題がある。
【０００４】
上述した従来の構造に存在する問題点について、どうして、より理想的で、実用性のあるオリジナルな構造を開発することが、使用者が望むことになり、かつ関連業者が努力する目標と方向になっている。
【０００５】
それに鑑みて、考案者は、関連製品の製造、開発及び設計を長年してきた経験により、詳しく設計を行い、慎重に評価したうえ、ようやく、上述した目標を実現することができる、実用性のある本考案を得た。
【考案の概要】
【考案が解決しようとする課題】
【０００６】
本考案は、簡易型脚部ストレッチ運動装置を提供することを目的とし、解決しようとする課題は、より理想的で、実用性のあるオリジナルなものを提供することにある。
【課題を解決するための手段】
【０００７】
本考案の課題を解決するため、次のような簡易型脚部ストレッチ運動装置を提供する。本考案の簡易型脚部ストレッチ運動装置は、台座と、少なくとも１つの係合部と、２つのガイドフレーム部とを含む。台座は、ベースフレームと、ベースフレームの上にある座り部とを備える。該ベースフレームの前段には、第一積載部が設けられ、後段には、第二積載部が設けられている。該第一積載部のプリセット位置には更に、少なくとも１つのストッパーが設けられている。該ベースフレームの周囲から第一積載部の外側まで形成された活動可能空間がある。それにより、該台座が側面に開放する構造に設けられている。少なくとも１つの係合部は、該ベースフレームの後段のプリセット位置に設けられている。使用者が該座り部に座っているとき、該係合部が使用者のお尻の下に接近するとともに、後側の位置に当接される。２つのガイドフレーム部は、長く伸びた延長フレーム体である。該２つのガイドフレーム部の後段はそれぞれ、該係合部に結合され、かつ２つのガイドフレーム部はそれぞれ、第一積載部の両側に位置するように設けられている。各ガイドフレーム部の前段には、使用者の足を載せる足載せ台と、地面と接触するガイドローラーとが設けられている。それによって、２つのガイドフレーム部の前段がそれぞれ係合部を軸として、活動可能空間でスイングすることができる。すなわち、２つのガイドフレーム部が互いに離れている展開状態になるか、或いは互いに近付いている閉鎖状態になることができる。２つのガイドフレーム部が閉鎖状態になるとき、両者がそれぞれ、第一積載部に設けられるストッパーに当接されるので、２つのガイドフレーム部の間に所定の間隔が形成される。該２つのガイドフレーム部が互いに離れるように活動可能空間でスイングするとき、両者の間に形成される角度が、少なくとも６０度を超える。
【考案の効果】
【０００８】
本考案は、上述したオリジナルな構造により、次のような効果を奏することができる。従来の技術と比較してみると、本考案は、該台座に設けられる係合部と、活動可能空間とにより、２つのガイドフレーム部が係合部を軸として、活動可能空間でスイングすることができる。上述した構造により、部品点数を減少させ、構造を簡単にすることができる。かつ、量産に有利であり、製造、組立て及び生産性の利便性を向上させ、製造のコストを削減することができる。
【図面の簡単な説明】
【０００９】
【図１】本考案の実施形態に係る脚部ストレッチ運動装置を示す分解斜視図である。
【図２】本考案の実施形態に係る脚部ストレッチ運動装置を示す斜視図である。
【図３】本考案の脚部ストレッチ運動装置を示す平面図である。
【図４】本考案の脚部ストレッチ運動装置の使用状態を示す平面図である。
【図５】本考案の他の実施形態の脚部ストレッチ運動装置の使用状態を示す平面図である。
【考案を実施するための形態】
【００１０】
図１〜図４に示すのは、本考案の簡易型脚部ストレッチ運動装置の好適な実施例である。これらの実施例は、本考案を説明するものであるが、本考案の請求の範囲がそのような構造にのみ制限されるものではない。本考案の簡易型脚部ストレッチ運動装置は、台座１０と、少なくとも１つの係合部３０と、２つのガイドフレーム部４０とを含む。
【００１１】
台座１０は、ベースフレーム１１と、ベースフレーム１１の上に設けられる座部１２とを備えてなる。該ベースフレーム１１の前段には、第一積載部１３が設けられ、ベースフレーム１１の後段には、第二積載部１４が設けられている。該第一積載部１３のプリセット位置には更に、少なくとも１つのストッパー１５が設けられている。本実施例のベースフレーム１１は、湾曲管によって設けられるものであるが、それに限定されるものではない。
【００１２】
該ベースフレーム１１の周囲から第一積載部１３の外側まで形成された活動可能空間２０がある。それにより、該台座１０が側面に展開する構造に設けられている。
【００１３】
少なくとも１つの係合部３０は、該ベースフレーム１１の後段のプリセット位置に設けられている。使用者が該座部１２に座っているとき、該係合部３０が使用者のお尻の下方に接近するとともに、後側の位置に当接される。図１、図２に示すように、本実施形態のベースフレーム１１の後段には、横バー部（矢印１６）が設けられ、該係合部３０は、該横バー部の上に設けられている。
【００１４】
２つのガイドフレーム部４０は、長く伸びた延長フレーム体である。該２つのガイドフレーム部４０の後段はそれぞれ、該係合部３０に結合され、２つのガイドフレーム部４０はそれぞれ第一積載部１３の両側に位置するように設けられている。各ガイドフレーム部４０の前段には、使用者の足を載せるための足載せ台４１と、地面と接触するガイドローラー４２とが設けられている。したがって、２つのガイドフレーム部４０の前段がそれぞれ係合部３０を軸として、活動可能空間２０でスイングすることができる。すなわち、２つのガイドフレーム部４０が互いに離れている展開状態になるか、或いは互いに近付いている閉鎖状態になることができる。２つのガイドフレーム部４０が閉鎖状態になるとき、両者がそれぞれ第一積載部１３のストッパー１５に当接されるので、２つのガイドフレーム部４０の間に間隔が形成される。該２つのガイドフレーム部４０が、活動可能空間２０で互いに離れるようにスイングするとき、２つのガイドフレーム部４０の間に形成される角度が、少なくとも６０度を超える。本実施例の２つのガイドフレーム部４０は、少なくとも７０度〜１８０度の範囲でスイングする。
【００１５】
図２〜図４に示すように、上述した構造を有する脚部ストレッチ運動装置を実際に使用するとき、使用者が該座部１２に座って、両脚をまっすぐ伸ばして該足載せ台４１の上に乗せるだけで、両脚をスイングさせることができる。すなわち、両脚が互いに開合するようにストレッチトレーニング・運動を行うことができる。本考案において、該台座１０に設けられる係合部３０と、活動可能空間２０とにより、２つのガイドフレーム部４０が係合部３０を軸として、活動可能空間２０でスイングすることができる。すなわち、本考案は、連動バーなどのような構造がなくでも、上述したスイングを行うことができるので、従来の構造に対して、部品点数を減少させ、構造を簡単にすることができる。かつ製造、生産及び組立ての利便性を大幅に向上させ、製造コストも削減（構造が簡単し、部品点数が少なくて、量産や組立てに有利）することができる。
【００１６】
図１、図４に示すように、本考案は実施例において、各ガイドフレーム部４０のプリセット位置には更に、把持補助部５０を設けることができる。使用者が足を該足載せ台４１に乗せて、脚部を開合するストレッチ運動を行うとき、該把持補助部５０を握って引くことにより、該ガイドフレーム部４０の移動を補助することができる。それによって、脚部を開閉するストレッチトレーニングをよりうまく、快適にすることができる。
【００１７】
また、図１、図４に示すように、該ガイドフレーム部４０の該係合部３０の前側のプリセット位置には更に、２つのガイドフレーム部４０を連結させるフレキシブル抵抗ユニット６０が設けられている。２つのガイドフレーム部４０が互いに離れるようにスイングさせるとき、該フレキシブル抵抗ユニット６０より弾性抵抗力が発生するので、脚部のトレーニング効果を増すことができる。具体的な実施例では、２つのガイドフレーム部４０の下方の所定の位置に嵌込みバー（図１の矢印Ｌ１）が設けられ、フレキシブル抵抗ユニット６０は、該嵌込みバーに取り付けられる。本実施例のフレキシブル抵抗ユニット６０として、スプリング、輪ゴム、ストリップゴムなどを採用することができるが、それに限定されるものではない。
【００１８】
図５に示すのは、本考案の他の具体的な実施形態である。本実施例において、該ガイドフレーム部４０の該係合部３０の後側のプリセット位置には更に、２つのガイドフレーム部４０を連結させるフレキシブル抵抗ユニット６０ｂが（同じく、スプリング、輪ゴムなどでもよい）設けられている。２つのガイドフレーム部４０の後段は、フレキシブル抵抗ユニット６０ｂによって、互いに近付くように引っ張られるので、２つのガイドフレーム部４０の前段は常時互いに離れている展開状態になっている。それにより、２つのガイドフレーム部４０が互いに近付づくようにスイングさせるとき、２つのガイドフレーム部４０の間に弾性抵抗力が発生するので、使用者が両脚を近づけるとき、筋力のトレーニングを行い、スポーツトレーニング効果を更に多様化させることができる。具体的な実施で、該２つのガイドフレーム部４０後端上方の対応位置にも嵌込みバー（図１〜図５の矢印Ｌ２）が設けられているので、フレキシブル抵抗ユニット６０ｂを該嵌込みバーに取り付けることができる。該フレキシブル抵抗ユニット６０、６０ｂは、フックなどによって２つのガイドフレーム部４０の間に取り付けられているが、そのような構造に限定されるものではない。
【００１９】
本考案による効果は次のとおりである。本考案に掲示された「簡易型脚部ストレッチ運動装置」は、該台座と、活動可能空間と、係合部と二ガイドフレーム部とを備えてなるオリジナルな構造を有している。本考案と従来の技術とを比較してみると、本考案は、該台座に設けられる係合部と、活動可能空間とにより、２つのガイドフレーム部が係合部を軸として、活動可能空間でスイングするとともに、部品点数を減少させることができる。製造面から言えば、部品点数が減少するため、製造コストが削減され、製造及び組立てがしやすくなり、量産もしやすくなる。構造面から言えば、全体的な構造が簡単になるので、よりコンパクトになり、搬送や移動、収納にも有利である。
【００２０】
上述した実施例に掲示したのは、本考案を具体的に説明するために用いられる内容であり、文中で専門用語で説明してきたが、それを以て、本考案の実用新案登録請求の範囲を制限してはならない。この分野の当業者は、本考案のコンセプトや考えを理解して、それらの変更や改造を行って、それと同等な効果を得たとしても、それらの変更や改造は全てが、後述の実用新案登録請求の範囲に含まれる。
【符号の説明】
【００２１】
０５  脚部ストレッチ運動装置
１０  台座
１１  ベースフレーム
１２  座部
１３  第一積載部
１４  第二積載部
１５  ストッパー
２０  活動可能空間
３０  係合部
４０  ガイドフレーム部
４１  足載せ台
４２  ガイドローラー
５０  把持補助部
６０、６０ｂフレキシブル抵抗ユニット
【図１】
0003190024.tif 000003
【図２】
0003190024.tif 000004
【図３】
0003190024.tif 000005
【図４】
0003190024.tif 000006
【図５】
0003190024.tif 000007